(57)【要約】  撮像装置は、複数のレンズを含む撮像光学系と、フォーカシング操作部と、マクロ撮影操作部と、第１・第２の規制部と、第３・第４の規制部と、を備える。フォーカシング操作部は、回転操作によって撮像光学系によって形成される焦点位置を変化させ、通常撮影領域の至近距離位置を超えてマクロ撮影領域まで距離設定可能とする。マクロ撮影操作部は、回転操作によってレンズを移動させることで、通常撮影状態とマクロ撮影状態とを切り替える。マクロ撮影操作部の回転操作に連動して、フォーカシング操作部の回転可能範囲が、第１・第２の規制部によって規制される第１の範囲から、第３・第４の規制部によって規制され第１の範囲とは少なくとも一部がずれている第２の範囲に切り替えられる。
2015045229.tif 000002
【特許請求の範囲】
【請求項１】
複数のレンズを含む撮像光学系と、
回転操作によって前記撮像光学系の焦点位置を変化させ、通常撮影領域の至近距離位置を超えてマクロ撮影領域まで距離設定可能なフォーカシング操作部と、
回転操作によって前記複数のレンズのうち少なくとも一部のレンズを移動させることで、前記通常撮影領域での撮影を行う通常撮影状態と、前記マクロ撮影領域での撮影を行うマクロ撮影状態とを切り替えるマクロ撮影操作部と、
前記フォーカシング操作部の前記通常撮影領域内における至近距離側の回転限界位置を規制する第１の規制部と、遠距離側の回転限界位置を規制する第２の規制部と、
前記フォーカシング操作部の前記マクロ撮影領域内における至近距離側の回転限界位置を規制する第３の規制部と、遠距離側の回転限界位置を規制する第４の規制部と、
を備え、
通常撮影状態からマクロ撮影状態へと移行させる前記マクロ撮影操作部の回転操作に連動して、前記フォーカシング操作部の回転可能範囲が、前記第１・第２の規制部によって規制される第１の範囲から、前記第３・第４の規制部によって規制され前記第１の範囲とは少なくとも一部がずれている第２の範囲に切り替えられる、
レンズ鏡筒。
【請求項２】
前記第１〜第４の規制部の少なくとも１つは、前記マクロ撮影操作部と一体的に形成されており、前記フォーカシング操作部の回転可能範囲の両端において前記フォーカシング操作部の一部と当接する凸部である、
請求項１に記載のレンズ鏡筒。
【請求項３】
前記第１〜第４の規制部の少なくとも１つは、前記マクロ撮影操作部とは別の部材に形成されている、
請求項１または２に記載のレンズ鏡筒。
【請求項４】
前記第１の範囲の遠距離側に対応する指標値と、前記第２の範囲の至近距離側に対応する指標値とは、異なる数値が設定されている、
請求項３に記載のレンズ鏡筒。
【請求項５】
請求項１から４のいずれか１項に記載のレンズ鏡筒と、
前記レンズ鏡筒が装着されるカメラ本体と、
を備える撮像装置。
【発明の詳細な説明】
【技術分野】
【０００１】
本開示は、レンズ鏡筒に関する。
【背景技術】
【０００２】
特許文献１は、ズームリングに設けられるロック部材でフォーカスリングの移動許容範囲を調整するレンズ鏡筒を開示する。
【先行技術文献】
【特許文献】
【０００３】
【特許文献１】特開昭５７−６６４２５号公報
【発明の概要】
【０００４】
本開示は、ノーマル撮影とマクロ撮影の切り替えが可能なレンズ鏡筒であって、フォーカスリングのメモリ表示を可能にし、フォーカスリングの移動許容範囲をメカ端により調整可能なレンズ鏡筒を提供する。
本開示に係るレンズ鏡筒は、複数のレンズを含む撮像光学系と、フォーカシング操作部と、マクロ撮影操作部と、第１・第２の規制部と、第３・第４の規制部と、を備えている。フォーカシング操作部は、回転操作によって撮像光学系の焦点位置を変化させ、通常撮影領域の至近距離位置を超えてマクロ撮影領域まで距離設定可能とする。マクロ撮影操作部は、回転操作によって複数のレンズのうち少なくとも一部のレンズを移動させることで、通常撮影領域での撮影を行う通常撮影状態と、マクロ撮影領域での撮影を行うマクロ撮影状態とを切り替える。第１の規制部は、フォーカシング操作部の通常撮影領域内における至近距離側の回転限界位置を規制する。第２の規制部は、フォーカシング操作部の通常撮影領域内における遠距離側の回転限界位置を規制する。第３の規制部は、フォーカシング操作部のマクロ撮影領域内における至近距離側の回転限界位置を規制する。第４の規制部は、フォーカシング操作部のマクロ撮影領域内における遠距離側の回転限界位置を規制する。通常撮影状態からマクロ撮影状態へと移行させるマクロ撮影操作部の回転操作に連動して、フォーカシング操作部の回転可能範囲が、第１・第２の規制部によって規制される第１の範囲から、第３・第４の規制部によって規制され第１の範囲とは少なくとも一部がずれている第２の範囲に切り替えられる。
【０００５】
（発明の効果）
本開示におけるレンズ鏡筒は、ノーマル撮影とマクロ撮影の切り替えが可能であり、かつ、フォーカスリングのメモリ表示を可能にし、フォーカスリングの移動許容範囲をメカ端により調整可能である。
【図面の簡単な説明】
【０００６】
【図１】本開示の撮像装置の全体斜視図。
【図２】実施の形態１におけるノーマル撮影時のレンズ鏡筒の概略断面図。
【図３】実施の形態１におけるマクロ撮影時のレンズ鏡筒の概略断面図。
【図４】（ａ）は、実施の形態１のノーマル撮影時における遠距離に被写体がある時のフォーカス指標を示す図。（ｂ）は、実施の形態１のノーマル撮影時における近距離に被写体がある時のフォーカス指標を示す図。
【図５】（ａ）は、実施の形態１のマクロ撮影時における遠距離に被写体がある時のフォーカス指標を示す図。（ｂ）は、実施の形態１のマクロ撮影時における近距離に被写体がある時のフォーカス指標を示す図。
【図６】（ａ）は、実施の形態１におけるレンズ鏡筒の一部拡大の概略断面図。（ｂ）は、実施の形態１における固定枠の展開図。（ｃ）は、実施の形態１におけるマクロリングの展開図。（ｄ）は、図６（ｃ）におけるＸ―Ｘ断面の形状を示す図。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【０００８】
（実施の形態１）
以下、図１〜図６（ｄ）を用いて、実施の形態１を説明する。
［１−１．デジタルカメラの全体構成（図１〜図３参照）］
図１は、本実施形態の撮像装置１００を示す概略斜視図である。図２は、レンズ鏡筒１２０のノーマルモード（通常撮影状態）時を示す断面図である。図３は、レンズ鏡筒１２０のマクロモード（マクロ撮影状態）時を示す断面図である。
【０００９】
撮像装置１００は、カメラ本体１０１と、カメラ本体１０１に装着されるレンズ鏡筒１２０と、を有する。なお、レンズ鏡筒１２０は、撮像装置１００に一体で設けられてもよいし、着脱可能に設けられてもよい。
レンズ鏡筒１２０は、第１レンズ群Ｌ１と、フォーカスレンズ群Ｌ２と、第３レンズ群Ｌ３と、第４レンズ群Ｌ４と、絞りリング１２１と、フォーカスリング（フォーカシング操作部）１２２と、マクロリング（マクロ撮影操作部）１２３と、固定枠１３０と、直進枠１４０と、ベース枠１５０と、３群保持枠１６０と、フォーカスレンズ枠１７０と、ガイド軸１７１と、第１化粧リング１８０と、第２化粧リング１９０と、を備える。
【００１０】
レンズ鏡筒１２０は、ベース枠１５０に対して各部材が取り付けられて構成されている。
ベース枠１５０は、カメラ本体１０１との装着側の端部において、第４レンズ群Ｌ４を保持する。ベース枠１５０は、被写体側の端部に、固定枠１３０がビス留めされる。
ここで、円筒状の固定枠１３０の内周側に設けられる各部材の説明を行う。
【００１１】
固定枠１３０の内周側には、直進枠１４０が光軸Ｘ方向に移動可能な状態で取り付けられる。
直進枠１４０は、円筒状の部材であって、外周側に突出した突起１４１を有する。突起１４１は、マクロリング１２３に係合されている。マクロリング１２３の回転により、直進枠１４０が光軸Ｘ方向において前後に移動する。これらの機構の詳細な説明は後述する。
【００１２】
直進枠１４０は、図１および図２に示すように、被写体側の端部に第１レンズ群Ｌ１を保持している。また、直進枠１４０の内周面側には、３群保持枠１６０が固定されている。
３群保持枠１６０は、第３レンズ群Ｌ３を保持している。
直進枠１４０の内周面側には、光軸Ｘに平行に配置されたガイド軸１７１が設けられている。直進枠１４０の内周面側に設けられたガイド軸１７１には、フォーカスレンズ枠１７０が光軸Ｘ方向において移動可能な状態で取り付けられている。
【００１３】
フォーカスレンズ枠１７０は、フォーカスレンズ群Ｌ２を保持している。フォーカスレンズ枠１７０は、直進枠１４０に光軸Ｘと平行に保持されたガイド軸１７１と嵌合し、動力源（図示せず）によって光軸Ｘ方向において駆動される。
次に、固定枠１３０の外周側に設けられる各部材の説明を行う。
固定枠１３０の外周側には、それぞれ円環状の部材であって光軸Ｘを中心に回転操作される、絞りリング１２１と、フォーカスリング１２２と、マクロリング１２３と、第１化粧リング１８０と、第２化粧リング１９０と、が設けられている。
【００１４】
絞りリング１２１、フォーカスリング１２２、およびマクロリング１２３は、ユーザの操作により、固定枠１３０に対して、光軸Ｘを中心とする円周方向において回転する。
なお、絞りリング１２１、フォーカスリング１２２、およびマクロリング１２３は、各々回転可能範囲が制限されている。これらの部材の回転可能範囲については、後述する。
【００１５】
［１−２．詳細説明と動作（図２〜図６（ｄ）参照）］
以上のように構成された撮像装置１００について、その動作について以下で説明する。
撮像装置１００は、ノーマルモードとマクロモードとの切り替え時において、撮影可能な被写体距離範囲を変化させるように構成されている（例：マクロモードは０．１５ｍ〜０．３５ｍ、ノーマルモードは０．３ｍ〜∞）。
そのため撮像装置１００は、ノーマルモードとマクロモードの切り替えに応じて、フォーカスリング１２２の可動範囲（回転可能範囲）を調整する。このため、フォーカスリング１２２の可動範囲が変更されるので、撮影可能な被写体距離に合うレンズ鏡筒１２０に記された被写体距離目盛の範囲で、フォーカスリング１２２が移動可能となる。
【００１６】
以下、その機構の詳細を説明する。
［１−２−１．詳細構成］
図６（ａ）から図６（ｄ）は、固定枠１３０とフォーカスリング１２２、マクロリング１２３、第２化粧リング１９０の構成及び関係を説明するための図である。
具体的には、図６（ａ）は、メリディオナル面（Meridional Surface）での断面の拡大図である。なお、メリディオナル面とは、レンズの軸外物点と光軸とを含む面を意味している。
【００１７】
図６（ｂ）は、固定枠１３０の展開図を外周側から見た図である。
図６（ｃ）は、マクロリング１２３の展開図を外周側から見た図である。なお、内周側に配置された構成については、破線で示している。
図６（ｄ）は、図６（ｃ）におけるＸ―Ｘ断面の形状を示す図である。
フォーカスリング１２２は、円環状の部材であって、図４（ａ）等に示すように、外装面に被写体距離を示す指標「０．１５  ０．２５  ０．３  ０．３５  ０．５  １  ２  ５  ∞」が印刷されている。フォーカスリング１２２は、図６（ａ）に示すように、ラジアル方向内側へ突出するフォーカスリングラジアル凸部１２２ａ（以下、凸部１２２ａと示す。）と、マクロリング１２３に向かって第２化粧リング１９０の内周側において光軸方向に突出するフォーカスリング光軸凸部１２２ｂ（以下、凸部１２２ｂと示す。）と、を有している。
【００１８】
マクロリング１２３の外装面には、図４（ａ）等に示すように、ノーマルモードを示す指標「０．３ｍ〜∞」と、マクロモードを示す指標「０．１５ｍ〜０．３５ｍ」が印刷されている。マクロリング１２３は、図６（ａ）に示すように、ラジアル方向内側へ突出するマクロリングラジアル凸部１２３ａ（以下、凸部１２３ａと示す。）を有している。
凸部１２３ａは、マクロリング回転規制部（図示せず）により、ノーマルモードとマクロモードとの切替時における回転を規制する。
【００１９】
また、マクロリング１２３は、図６（ｄ）に示すように、内周側に１段低い形状で構成され、被写体側に突出する規制部が形成される。
なお、本実施の形態では、フォーカスリング１２２の回転を規制する手段としては、図４（ａ）および図４（ｂ）、図５（ａ）および図５（ｂ）に示すように、遠距離端部（第２・第４の規制部）１２３ｂ、ノーマル近距離端部１２３ｃ（以下、近距離端部１２３ｃと示す。）、近距離端部（第３の規制部）１３１ａ（図６（ｂ））が用いられる。
【００２０】
さらに、マクロリング１２３の内周面には、カム溝１２３ｄが設けられている。
カム溝１２３ｄは、周方向において斜めに形成されている。カム溝１２３ｄには、図６（ｃ）に示すように、直進枠１４０（図２参照）の突起１４１が係合される。
これにより、マクロリング１２３を回転させると、直進枠１４０の突起１４１が、周方向に対して斜めに形成されたカム溝１２３ｄに係合した状態で一方の端部から反対側の端部へと移動する。よって、直進枠１４０は、図３に示すように、光軸Ｘ方向における被写体側へと押し出される。
【００２１】
この結果、第４レンズ群Ｌ４に対する第１〜第３レンズ群Ｌ１〜Ｌ３の距離を変更して、撮影モード（ノーマルモードおよびマクロモード）を切り替えることができる。
このとき、マクロリング１２３の回転によって、図６（ｂ）に示すように、突起１４１は、固定枠１３０の一部を貫通するように形成された直進孔１３３内も移動する。
つまり、直進枠１４０の突起１４１は、固定枠１３０の直進孔１３３に挿入された状態で、その先端部分がマクロリング１２３のカム溝１２３ｄに係合している。
【００２２】
ここで、直進孔１３３は、図６（ｂ）に示すように、光軸Ｘ方向に平行に形成されているため、直進枠１４０の光軸Ｘ方向における移動を規制することはない。
なお、遠距離端部１２３ｂ、近距離端部１２３ｃの外周側には、図６（ｄ）に示すように、第２化粧リング１９０が設けられる。
固定枠１３０は、図６（ｂ）に示すように、フォーカスリング可動規制溝１３１（以下、規制溝１３１と示す。）と、マクロリング可動規制溝１３２（以下、規制溝１３２と示す。）と、直進孔１３３と、が設けられている。
【００２３】
規制溝１３１は、図６（ａ）に示すように、固定枠１３０の外周面側に設けられている。規制溝１３１は、図６（ｂ）に示すように、長手方向における端部に、マクロ近距離端部１３１ａ（以下、近距離端部１３１ａと示す。）を有している。規制溝１３１には、凸部１２２ａが周方向に沿って移動可能な状態で係合する。
規制溝１３２は、図６（ａ）に示すように、固定枠１３０の外周面側における規制溝１３１よりもカメラ本体１０１側に設けられている。規制溝１３２は、長手方向における両端部に、ノーマル端部１３２ａと、マクロ端部１３２ｂと、を有している。規制溝１３２には、凸部１２３ａが移動可能な状態で係合する。
【００２４】
［１−２−２．ノーマルモードとマクロモードの切り替え動作］
ユーザは、マクロリング１２３を操作することで、ノーマルモードとマクロモードを切り替え可能である。
（ノーマルモード時）
具体的には、ユーザが、マクロリング１２３をノーマルモード側に移動すると、以下のように各部が配置される。
【００２５】
マクロリング１２３は、ベース枠１５０に示された設定を示す指標に対して、指標「０．３ｍ∞」が一致する位置に移動される。
このとき、マクロリング１２３の凸部１２３ａは、ノーマル端部１３２ａと接触することで、ノーマルモードのメカ端を実現する。マクロリング１２３は、図６（ｃ）に示すように、カム溝１２３ｄにおいて突起１４１と係合する。
【００２６】
なお、上記ノーマルモードのメカ端とは、マクロリング１２３の回転可能範囲の両端のうち、ノーマルモード側の端部であって、マクロリング１２３の回転を規制する端部を意味している。
ノーマルモードでは、直進枠１４０は、図２に示すように、固定枠１３０の内周側において、カメラ本体１０１との装着側に移動された状態で保持される。さらに、マクロリング１２３の遠距離端部１２３ｂと近距離端部１２３ｃとは、図４（ａ）および図４（ｂ）に示す位置にそれぞれ配置される。
【００２７】
（マクロモード時）
一方、ユーザが、マクロリング１２３をマクロモード側に移動すると、以下のように各部が配置される。
マクロリング１２３は、ベース枠１５０に示された設定を示す指標に対して、指標「０．１５ｍ０．３５ｍ」が一致する位置に移動される。
【００２８】
このとき、マクロリング１２３の凸部１２３ａは、マクロ端部１３２ｂと接触することで、マクロモードのメカ端を実現する。マクロリング１２３は、図６（ｃ）に示すように、カム溝１２３ｄにおいて、突起１４１と係合する。
なお、上記マクロモードのメカ端とは、マクロリング１２３の回転可能範囲の両端のうち、マクロモード側の端部であって、マクロリング１２３の回転を規制する端部を意味している。
【００２９】
マクロモードでは、直進枠１４０は、図３に示すように、固定枠１３０の内周側において、被写体側に移動された状態（直進枠１４０の一部が被写体側に突出した状態）で保持される。さらに、マクロリング１２３の遠距離端部１２３ｂと近距離端部１２３ｃとは、図５（ａ）および図５（ｂ）に示す位置に配置される。
【００３０】
［１−２−３．フォーカスリングの可動範囲（回転可能範囲）の調整］
（ノーマルモード時）
上述したように、ノーマルモード時は、フォーカスリング１２２の回転可能範囲を規制する遠距離端部１２３ｂと近距離端部１２３ｃとは、図４（ａ）および図４（ｂ）に示す位置に配置される。
【００３１】
よって、フォーカスリング１２２の円周方向における可動領域（回転可能範囲）は、フォーカスリング１２２の凸部１２２ｂが、マクロリング１２３の遠距離端部１２３ｂと接触する位置（図４（ａ）の状態）から、マクロリング１２３の近距離端部１２３ｃと接触する位置（図４（ｂ）の状態）の間の範囲となる。
つまり、ノーマルモードにおいては、フォーカスリング１２２に形成された２つの凸部１２２ａ，１２２ｂのうち、図４（ａ）および図４（ｂ）に示すように、光軸Ｘに沿って突出した凸部１２２ｂが、マクロリング１２３の遠距離端部１２３ｂ、近距離端部１２３ｃと当接することで、フォーカスリング１２２の回転可能範囲を規制する。
【００３２】
なお、ノーマルモードの指標の範囲は「０．３ｍ〜∞」となる。
（マクロモード時）
一方、マクロモード時は、フォーカスリング１２２の回転可能範囲を規制する遠距離端部１２３ｂと近距離端部１２３ｃとは、図５（ａ）および図５（ｂ）に示す位置に配置される。
【００３３】
よって、フォーカスリング１２２の円周方向における可動領域（回転可能範囲）は、フォーカスリング１２２の凸部１２２ｂが、マクロリング１２３の遠距離端部１２３ｂと接触する位置（図５（ａ）の状態）から、固定枠１３０に形成された規制溝１３１の近距離端部１３１ａと接触する位置（図５ｂの状態）の間の範囲となる。
つまり、マクロモードにおける遠距離側においては、図５（ａ）に示すように、フォーカスリング１２２に形成された２つの凸部１２２ａ，１２２ｂのうち、ノーマルモードと同様に、光軸Ｘに沿って突出した凸部１２２ｂが、マクロリング１２３の遠距離端部１２３ｂと当接する。
【００３４】
一方、マクロモードにおける近距離側においては、図５（ｂ）に示すように、モード切替を行うマクロリング１２３の回転により、遠距離端部１２３ｂと近距離端部１２３ｃとの位置が周方向において移動している。
このため、光軸Ｘに沿って突出した凸部１２２ｂが近距離端部１２３ｃと当接するよりも先に、ラジアル方向に突出した凸部１２２ａが、固定枠１３０に形成された規制溝１３１の近距離端部１３１ａと当接する。
【００３５】
これにより、マクロモードにおいては、ノーマルモードとは異なる端部を用いて、フォーカスリング１２２の回転可能範囲を規制することができる。
なお、マクロモードの指標の範囲は「０．１５ｍ〜０．３５ｍ」となる。
つまり、本実施の形態のレンズ鏡筒１２０では、ノーマルモードの近距離端部に対応する指標値（０．３ｍ）とマクロモードの遠距離端部に対応する指標値（０．３５ｍ）とが若干異なっている。このため、ノーマルモードとは異なる部材によって構成される端部（近距離端部１３１ａ）を用いて、フォーカスリング１２２の回転可能範囲を規制している。
【００３６】
［１−３．効果等］
以上のように、本実施の形態のレンズ鏡筒１２０では、マクロリング１２３の操作により、ノーマルモードとマクロモードとが切り替えられた場合には、この操作に連動して、フォーカスリング１２２の回転可能範囲を周方向において移動させる。
これにより、各モードに応じた撮影可能な被写体距離範囲のみが指標環に示される。そのため、モード切り替えを備えたレンズ鏡筒１２０であっても、指標環による被写体距離表示が可能になる。
【００３７】
なお、本実施の形態では、ノーマルモードとマクロモードとで、近距離端部を異なる部材を用いて規定した例を挙げて説明した。しかし、本発明はこれに限定されるものではない。
例えば、ノーマルモードとマクロモードとで、共通の端部を用いて、各モードにおけるフォーカスリング１２２の回転可能範囲を規定してもよい。
この場合でも、モード切替時には、マクロリング１２３が回転することに伴って、フォーカスリング１２２の一部と接触する遠近距離端部が円周方向において移動することから、各モードにおいて異なる回転可能範囲を設定することができる。
【００３８】
（その他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００３９】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４０】
また、上述の実施の形態は、本開示における技術を例示するためのものであるから、特許請求の範囲またはその均等の範囲において種々の変更、置き換え、付加、省略などを行うことができる。
【産業上の利用可能性】
【００４１】
本開示は、撮像装置に用いられるレンズ鏡筒に適用可能である。具体的には、デジタルスチルカメラ、一眼レフカメラ、ミラーレスカメラなどに本開示は適用可能である。
【符号の説明】
【００４２】
１００    撮像装置
１０１    カメラ本体
１２０    レンズ鏡筒
１２１    絞りリング
１２２    フォーカスリング（フォーカシング操作部）
１２２ａ  フォーカスリングラジアル凸部
１２２ｂ  フォーカスリング光軸凸部
１２３    マクロリング（マクロ撮影操作部）
１２３ａ  マクロリングラジアル凸部
１２３ｂ  遠距離端部（第２・第４の規制部）
１２３ｃ  ノーマル近距離端部（第１の規制部）
１２３ｄ  カム溝
１３０    固定枠
１３１    フォーカスリング可動規制溝
１３１ａ  マクロ近距離端部（第３の規制部）
１３２    マクロリング可動規制溝
１３２ａ  ノーマル端部
１３２ｂ  マクロ端部
１３３    直進孔
１４０    直進枠
１４１    突起
１５０    ベース枠
１６０    ３群保持枠
１７０    フォーカスレンズ枠
１７１    ガイド軸
１８０    第１化粧リング
１９０    第２化粧リング
Ｌ１      第１レンズ群（撮像光学系）
Ｌ２      フォーカスレンズ群（撮像光学系）
Ｌ３      第３レンズ群（撮像光学系）
Ｌ４      第４レンズ群（撮像光学系）
Ｘ        光軸
【図１】
2015045229.tif 000003
【図２】
2015045229.tif 000004
【図３】
2015045229.tif 000005
【図４】
2015045229.tif 000006
【図５】
2015045229.tif 000007
【図６】
2015045229.tif 000008
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
複数のレンズを含む撮像光学系と、
回転操作によって前記撮像光学系の焦点位置を変化させ、第１の撮影領域と少なくとも一部が異なる第２の撮影領域とに設定可能なフォーカシング操作部と、
回転操作によって前記複数のレンズのうち少なくとも一部のレンズを移動させることで、前記第１の撮影領域での撮影を行う第１撮影状態と、前記第２の撮影領域での撮影を行う第２撮影状態とを切り替える撮影状態切替操作部と、
前記フォーカシング操作部の前記第１の撮影領域内における至近距離側の回転限界位置を規制する第１の規制部と、遠距離側の回転限界位置を規制する第２の規制部と、
前記フォーカシング操作部の前記第２の撮影領域内における至近距離側の回転限界位置を規制する第３の規制部と、遠距離側の回転限界位置を規制する第４の規制部と、
を備え、
前記第１撮影状態から前記第２撮影状態へと移行させる前記撮影状態切替操作部の回転操作に連動して、前記フォーカシング操作部の回転可能範囲が、前記第１・第２の規制部によって規制される第１の範囲から、前記第３・第４の規制部によって規制され前記第１の範囲とは少なくとも一部がずれている第２の範囲に切り替えられる、
レンズ鏡筒。
【請求項２】
前記第１〜第４の規制部の少なくとも１つは、前記撮影状態切替操作部と一体的に形成されており、前記フォーカシング操作部の回転可能範囲の両端において前記フォーカシング操作部の一部と当接する凸部である、
請求項１に記載のレンズ鏡筒。
【請求項３】
前記第１〜第４の規制部の少なくとも１つは、前記撮影状態切替操作部とは別の部材に形成されている、
請求項１または２に記載のレンズ鏡筒。
【請求項４】
前記第１の範囲の遠距離側に対応する指標値と、前記第２の範囲の至近距離側に対応する指標値とは、異なる数値が設定されている、
請求項３に記載のレンズ鏡筒。
【請求項５】
請求項１から４のいずれか１項に記載のレンズ鏡筒と、
前記レンズ鏡筒が装着されるカメラ本体と、
を備える撮像装置。
【手続補正２】
【補正対象書類名】明細書
【補正対象項目名】全文
【補正方法】変更
【補正の内容】
【発明の詳細な説明】
【技術分野】
【０００１】
本開示は、レンズ鏡筒に関する。
【背景技術】
【０００２】
特許文献１は、ズームリングに設けられるロック部材でフォーカスリングの移動許容範囲を調整するレンズ鏡筒を開示する。
【先行技術文献】
【特許文献】
【０００３】
【特許文献１】特開昭５７−６６４２５号公報
【発明の概要】
【０００４】
本開示は、ノーマル撮影とマクロ撮影の切り替えが可能なレンズ鏡筒であって、フォーカスリングのメモリ表示を可能にし、フォーカスリングの移動許容範囲をメカ端により調整可能なレンズ鏡筒を提供する。
本開示に係るレンズ鏡筒は、複数のレンズを含む撮像光学系と、フォーカシング操作部と、撮影状態切替操作部と、第１・第２の規制部と、第３・第４の規制部と、を備えている。フォーカシング操作部は、回転操作によって撮像光学系の焦点位置を変化させ、第１の撮影領域と少なくとも一部が異なる第２の撮影領域とに設定可能とする。撮影状態切替操作部は、回転操作によって複数のレンズのうち少なくとも一部のレンズを移動させることで、第１の撮影領域での撮影を行う第１撮影状態と、第２の撮影領域での撮影を行う第２撮影状態とを切り替える。第１の規制部は、フォーカシング操作部の第１の撮影領域内における至近距離側の回転限界位置を規制する。第２の規制部は、フォーカシング操作部の第１の撮影領域内における遠距離側の回転限界位置を規制する。第３の規制部は、フォーカシング操作部の第２の撮影領域内における至近距離側の回転限界位置を規制する。第４の規制部は、フォーカシング操作部の第２の撮影領域内における遠距離側の回転限界位置を規制する。第１の撮影状態から第２の撮影状態へと移行させる撮影状態切替操作部の回転操作に連動して、フォーカシング操作部の回転可能範囲が、第１・第２の規制部によって規制される第１の範囲から、第３・第４の規制部によって規制され第１の範囲とは少なくとも一部がずれている第２の範囲に切り替えられる。
（発明の効果）
本開示におけるレンズ鏡筒は、第１撮影状態と第２撮影状態との切り替えが可能であり、かつ、フォーカスリングのメモリ表示を可能にし、フォーカスリングの移動許容範囲をメカ端により調整可能である。
【図面の簡単な説明】
【０００５】
【図１】本開示の撮像装置の全体斜視図。
【図２】実施の形態１におけるノーマル撮影時のレンズ鏡筒の概略断面図。
【図３】実施の形態１におけるマクロ撮影時のレンズ鏡筒の概略断面図。
【図４】（ａ）は、実施の形態１のノーマル撮影時における遠距離に被写体がある時のフォーカス指標を示す図。（ｂ）は、実施の形態１のノーマル撮影時における近距離に被写体がある時のフォーカス指標を示す図。
【図５】（ａ）は、実施の形態１のマクロ撮影時における遠距離に被写体がある時のフォーカス指標を示す図。（ｂ）は、実施の形態１のマクロ撮影時における近距離に被写体がある時のフォーカス指標を示す図。
【図６】（ａ）は、実施の形態１におけるレンズ鏡筒の一部拡大の概略断面図。（ｂ）は、実施の形態１における固定枠の展開図。（ｃ）は、実施の形態１におけるマクロリングの展開図。（ｄ）は、図６（ｃ）におけるＸ―Ｘ断面の形状を示す図。
【発明を実施するための形態】
【０００６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【０００７】
（実施の形態１）
以下、図１〜図６（ｄ）を用いて、実施の形態１を説明する。
［１−１．デジタルカメラの全体構成（図１〜図３参照）］
図１は、本実施形態の撮像装置１００を示す概略斜視図である。図２は、レンズ鏡筒１２０のノーマルモード（第１撮影状態）時を示す断面図である。図３は、レンズ鏡筒１２０のマクロモード（第２撮影状態）時を示す断面図である。
【０００８】
撮像装置１００は、カメラ本体１０１と、カメラ本体１０１に装着されるレンズ鏡筒１２０と、を有する。なお、レンズ鏡筒１２０は、撮像装置１００に一体で設けられてもよいし、着脱可能に設けられてもよい。
レンズ鏡筒１２０は、第１レンズ群Ｌ１と、フォーカスレンズ群Ｌ２と、第３レンズ群Ｌ３と、第４レンズ群Ｌ４と、絞りリング１２１と、フォーカスリング（フォーカシング操作部）１２２と、マクロリング（撮影状態切替操作部）１２３と、固定枠１３０と、直進枠１４０と、ベース枠１５０と、３群保持枠１６０と、フォーカスレンズ枠１７０と、ガイド軸１７１と、第１化粧リング１８０と、第２化粧リング１９０と、を備える。
【０００９】
レンズ鏡筒１２０は、ベース枠１５０に対して各部材が取り付けられて構成されている。
ベース枠１５０は、カメラ本体１０１との装着側の端部において、第４レンズ群Ｌ４を保持する。ベース枠１５０は、被写体側の端部に、固定枠１３０がビス留めされる。
ここで、円筒状の固定枠１３０の内周側に設けられる各部材の説明を行う。
【００１０】
固定枠１３０の内周側には、直進枠１４０が光軸Ｘ方向に移動可能な状態で取り付けられる。
直進枠１４０は、円筒状の部材であって、外周側に突出した突起１４１を有する。突起１４１は、マクロリング１２３に係合されている。マクロリング１２３の回転により、直進枠１４０が光軸Ｘ方向において前後に移動する。これらの機構の詳細な説明は後述する。
【００１１】
直進枠１４０は、図１および図２に示すように、被写体側の端部に第１レンズ群Ｌ１を保持している。また、直進枠１４０の内周面側には、３群保持枠１６０が固定されている。
３群保持枠１６０は、第３レンズ群Ｌ３を保持している。
直進枠１４０の内周面側には、光軸Ｘに平行に配置されたガイド軸１７１が設けられている。直進枠１４０の内周面側に設けられたガイド軸１７１には、フォーカスレンズ枠１７０が光軸Ｘ方向において移動可能な状態で取り付けられている。
【００１２】
フォーカスレンズ枠１７０は、フォーカスレンズ群Ｌ２を保持している。フォーカスレンズ枠１７０は、直進枠１４０に光軸Ｘと平行に保持されたガイド軸１７１と嵌合し、動力源（図示せず）によって光軸Ｘ方向において駆動される。
次に、固定枠１３０の外周側に設けられる各部材の説明を行う。
固定枠１３０の外周側には、それぞれ円環状の部材であって光軸Ｘを中心に回転操作される、絞りリング１２１と、フォーカスリング１２２と、マクロリング１２３と、第１化粧リング１８０と、第２化粧リング１９０と、が設けられている。
【００１３】
絞りリング１２１、フォーカスリング１２２、およびマクロリング１２３は、ユーザの操作により、固定枠１３０に対して、光軸Ｘを中心とする円周方向において回転する。
なお、絞りリング１２１、フォーカスリング１２２、およびマクロリング１２３は、各々回転可能範囲が制限されている。これらの部材の回転可能範囲については、後述する。
［１−２．詳細説明と動作（図２〜図６（ｄ）参照）］
以上のように構成された撮像装置１００について、その動作について以下で説明する。
【００１４】
撮像装置１００は、ノーマルモードとマクロモードとの切り替え時において、撮影可能な被写体距離範囲を変化させるように構成されている（例：マクロモードは０．１５ｍ〜０．３５ｍ、ノーマルモードは０．３ｍ〜∞）。
そのため撮像装置１００は、ノーマルモードとマクロモードの切り替えに応じて、フォーカスリング１２２の可動範囲（回転可能範囲）を調整する。このため、フォーカスリング１２２の可動範囲が変更されるので、撮影可能な被写体距離に合うレンズ鏡筒１２０に記された被写体距離目盛の範囲で、フォーカスリング１２２が移動可能となる。
【００１５】
以下、その機構の詳細を説明する。
［１−２−１．詳細構成］
図６（ａ）から図６（ｄ）は、固定枠１３０とフォーカスリング１２２、マクロリング１２３、第２化粧リング１９０の構成及び関係を説明するための図である。
具体的には、図６（ａ）は、メリディオナル面（Meridional Surface）での断面の拡大図である。なお、メリディオナル面とは、レンズの軸外物点と光軸とを含む面を意味している。
【００１６】
図６（ｂ）は、固定枠１３０の展開図を外周側から見た図である。
図６（ｃ）は、マクロリング１２３の展開図を外周側から見た図である。なお、内周側に配置された構成については、破線で示している。
図６（ｄ）は、図６（ｃ）におけるＸ―Ｘ断面の形状を示す図である。
フォーカスリング１２２は、円環状の部材であって、図４（ａ）等に示すように、外装面に被写体距離を示す指標「０．１５  ０．２５  ０．３  ０．３５  ０．５  １  ２  ５  ∞」が印刷されている。フォーカスリング１２２は、図６（ａ）に示すように、ラジアル方向内側へ突出するフォーカスリングラジアル凸部１２２ａ（以下、凸部１２２ａと示す。）と、マクロリング１２３に向かって第２化粧リング１９０の内周側において光軸方向に突出するフォーカスリング光軸凸部１２２ｂ（以下、凸部１２２ｂと示す。）と、を有している。
【００１７】
マクロリング１２３の外装面には、図４（ａ）等に示すように、ノーマルモードを示す指標「０．３ｍ〜∞」と、マクロモードを示す指標「０．１５ｍ〜０．３５ｍ」が印刷されている。マクロリング１２３は、図６（ａ）に示すように、ラジアル方向内側へ突出するマクロリングラジアル凸部１２３ａ（以下、凸部１２３ａと示す。）を有している。
凸部１２３ａは、マクロリング回転規制部（図示せず）により、ノーマルモードとマクロモードとの切替時における回転を規制する。
【００１８】
また、マクロリング１２３は、図６（ｄ）に示すように、内周側に１段低い形状で構成され、被写体側に突出する規制部が形成される。
なお、本実施の形態では、フォーカスリング１２２の回転を規制する手段としては、図４（ａ）および図４（ｂ）、図５（ａ）および図５（ｂ）に示すように、遠距離端部（第２・第４の規制部）１２３ｂ、ノーマル近距離端部１２３ｃ（以下、近距離端部１２３ｃと示す。）、近距離端部（第３の規制部）１３１ａ（図６（ｂ））が用いられる。
【００１９】
さらに、マクロリング１２３の内周面には、カム溝１２３ｄが設けられている。
カム溝１２３ｄは、周方向において斜めに形成されている。カム溝１２３ｄには、図６（ｃ）に示すように、直進枠１４０（図２参照）の突起１４１が係合される。
これにより、マクロリング１２３を回転させると、直進枠１４０の突起１４１が、周方向に対して斜めに形成されたカム溝１２３ｄに係合した状態で一方の端部から反対側の端部へと移動する。よって、直進枠１４０は、図３に示すように、光軸Ｘ方向における被写体側へと押し出される。
【００２０】
この結果、第４レンズ群Ｌ４に対する第１〜第３レンズ群Ｌ１〜Ｌ３の距離を変更して、撮影モード（ノーマルモードおよびマクロモード）を切り替えることができる。
このとき、マクロリング１２３の回転によって、図６（ｂ）に示すように、突起１４１は、固定枠１３０の一部を貫通するように形成された直進孔１３３内も移動する。
つまり、直進枠１４０の突起１４１は、固定枠１３０の直進孔１３３に挿入された状態で、その先端部分がマクロリング１２３のカム溝１２３ｄに係合している。
【００２１】
ここで、直進孔１３３は、図６（ｂ）に示すように、光軸Ｘ方向に平行に形成されているため、直進枠１４０の光軸Ｘ方向における移動を規制することはない。
なお、遠距離端部１２３ｂ、近距離端部１２３ｃの外周側には、図６（ｄ）に示すように、第２化粧リング１９０が設けられる。
固定枠１３０は、図６（ｂ）に示すように、フォーカスリング可動規制溝１３１（以下、規制溝１３１と示す。）と、マクロリング可動規制溝１３２（以下、規制溝１３２と示す。）と、直進孔１３３と、が設けられている。
【００２２】
規制溝１３１は、図６（ａ）に示すように、固定枠１３０の外周面側に設けられている。規制溝１３１は、図６（ｂ）に示すように、長手方向における端部に、マクロ近距離端部１３１ａ（以下、近距離端部１３１ａと示す。）を有している。規制溝１３１には、凸部１２２ａが周方向に沿って移動可能な状態で係合する。
規制溝１３２は、図６（ａ）に示すように、固定枠１３０の外周面側における規制溝１３１よりもカメラ本体１０１側に設けられている。規制溝１３２は、長手方向における両端部に、ノーマル端部１３２ａと、マクロ端部１３２ｂと、を有している。規制溝１３２には、凸部１２３ａが移動可能な状態で係合する。
【００２３】
［１−２−２．ノーマルモードとマクロモードの切り替え動作］
ユーザは、マクロリング１２３を操作することで、ノーマルモードとマクロモードを切り替え可能である。
（ノーマルモード時）
具体的には、ユーザが、マクロリング１２３をノーマルモード側に移動すると、以下のように各部が配置される。
【００２４】
マクロリング１２３は、ベース枠１５０に示された設定を示す指標に対して、指標「０．３ｍ∞」が一致する位置に移動される。
このとき、マクロリング１２３の凸部１２３ａは、ノーマル端部１３２ａと接触することで、ノーマルモードのメカ端を実現する。マクロリング１２３は、図６（ｃ）に示すように、カム溝１２３ｄにおいて突起１４１と係合する。
【００２５】
なお、上記ノーマルモードのメカ端とは、マクロリング１２３の回転可能範囲の両端のうち、ノーマルモード側の端部であって、マクロリング１２３の回転を規制する端部を意味している。
ノーマルモードでは、直進枠１４０は、図２に示すように、固定枠１３０の内周側において、カメラ本体１０１との装着側に移動された状態で保持される。さらに、マクロリング１２３の遠距離端部１２３ｂと近距離端部１２３ｃとは、図４（ａ）および図４（ｂ）に示す位置にそれぞれ配置される。
【００２６】
（マクロモード時）
一方、ユーザが、マクロリング１２３をマクロモード側に移動すると、以下のように各部が配置される。
マクロリング１２３は、ベース枠１５０に示された設定を示す指標に対して、指標「０．１５ｍ０．３５ｍ」が一致する位置に移動される。
【００２７】
このとき、マクロリング１２３の凸部１２３ａは、マクロ端部１３２ｂと接触することで、マクロモードのメカ端を実現する。マクロリング１２３は、図６（ｃ）に示すように、カム溝１２３ｄにおいて、突起１４１と係合する。
なお、上記マクロモードのメカ端とは、マクロリング１２３の回転可能範囲の両端のうち、マクロモード側の端部であって、マクロリング１２３の回転を規制する端部を意味している。
【００２８】
マクロモードでは、直進枠１４０は、図３に示すように、固定枠１３０の内周側において、被写体側に移動された状態（直進枠１４０の一部が被写体側に突出した状態）で保持される。さらに、マクロリング１２３の遠距離端部１２３ｂと近距離端部１２３ｃとは、図５（ａ）および図５（ｂ）に示す位置に配置される。
［１−２−３．フォーカスリングの可動範囲（回転可能範囲）の調整］
（ノーマルモード時）
上述したように、ノーマルモード時は、フォーカスリング１２２の回転可能範囲を規制する遠距離端部１２３ｂと近距離端部１２３ｃとは、図４（ａ）および図４（ｂ）に示す位置に配置される。
【００２９】
よって、フォーカスリング１２２の円周方向における可動領域（回転可能範囲）は、フォーカスリング１２２の凸部１２２ｂが、マクロリング１２３の遠距離端部１２３ｂと接触する位置（図４（ａ）の状態）から、マクロリング１２３の近距離端部１２３ｃと接触する位置（図４（ｂ）の状態）の間の範囲となる。
つまり、ノーマルモードにおいては、フォーカスリング１２２に形成された２つの凸部１２２ａ，１２２ｂのうち、図４（ａ）および図４（ｂ）に示すように、光軸Ｘに沿って突出した凸部１２２ｂが、マクロリング１２３の遠距離端部１２３ｂ、近距離端部１２３ｃと当接することで、フォーカスリング１２２の回転可能範囲を規制する。
【００３０】
なお、ノーマルモードの指標の範囲は「０．３ｍ〜∞」となる。
（マクロモード時）
一方、マクロモード時は、フォーカスリング１２２の回転可能範囲を規制する遠距離端部１２３ｂと近距離端部１２３ｃとは、図５（ａ）および図５（ｂ）に示す位置に配置される。
【００３１】
よって、フォーカスリング１２２の円周方向における可動領域（回転可能範囲）は、フォーカスリング１２２の凸部１２２ｂが、マクロリング１２３の遠距離端部１２３ｂと接触する位置（図５（ａ）の状態）から、固定枠１３０に形成された規制溝１３１の近距離端部１３１ａと接触する位置（図５ｂの状態）の間の範囲となる。
つまり、マクロモードにおける遠距離側においては、図５（ａ）に示すように、フォーカスリング１２２に形成された２つの凸部１２２ａ，１２２ｂのうち、ノーマルモードと同様に、光軸Ｘに沿って突出した凸部１２２ｂが、マクロリング１２３の遠距離端部１２３ｂと当接する。
【００３２】
一方、マクロモードにおける近距離側においては、図５（ｂ）に示すように、モード切替を行うマクロリング１２３の回転により、遠距離端部１２３ｂと近距離端部１２３ｃとの位置が周方向において移動している。
このため、光軸Ｘに沿って突出した凸部１２２ｂが近距離端部１２３ｃと当接するよりも先に、ラジアル方向に突出した凸部１２２ａが、固定枠１３０に形成された規制溝１３１の近距離端部１３１ａと当接する。
【００３３】
これにより、マクロモードにおいては、ノーマルモードとは異なる端部を用いて、フォーカスリング１２２の回転可能範囲を規制することができる。
なお、マクロモードの指標の範囲は「０．１５ｍ〜０．３５ｍ」となる。
つまり、本実施の形態のレンズ鏡筒１２０では、ノーマルモードの近距離端部に対応する指標値（０．３ｍ）とマクロモードの遠距離端部に対応する指標値（０．３５ｍ）とが若干異なっている。このため、ノーマルモードとは異なる部材によって構成される端部（近距離端部１３１ａ）を用いて、フォーカスリング１２２の回転可能範囲を規制している。
【００３４】
［１−３．効果等］
以上のように、本実施の形態のレンズ鏡筒１２０では、マクロリング１２３の操作により、ノーマルモードとマクロモードとが切り替えられた場合には、この操作に連動して、フォーカスリング１２２の回転可能範囲を周方向において移動させる。
これにより、各モードに応じた撮影可能な被写体距離範囲のみが指標環に示される。そのため、モード切り替えを備えたレンズ鏡筒１２０であっても、指標環による被写体距離表示が可能になる。
【００３５】
なお、本実施の形態では、ノーマルモードとマクロモードとで、近距離端部を異なる部材を用いて規定した例を挙げて説明した。しかし、本発明はこれに限定されるものではない。
例えば、ノーマルモードとマクロモードとで、共通の端部を用いて、各モードにおけるフォーカスリング１２２の回転可能範囲を規定してもよい。
【００３６】
この場合でも、モード切替時には、マクロリング１２３が回転することに伴って、フォーカスリング１２２の一部と接触する遠近距離端部が円周方向において移動することから、各モードにおいて異なる回転可能範囲を設定することができる。
（その他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００３７】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３８】
また、上述の実施の形態は、本開示における技術を例示するためのものであるから、特許請求の範囲またはその均等の範囲において種々の変更、置き換え、付加、省略などを行うことができる。
【産業上の利用可能性】
【００３９】
本開示は、撮像装置に用いられるレンズ鏡筒に適用可能である。具体的には、デジタルスチルカメラ、一眼レフカメラ、ミラーレスカメラなどに本開示は適用可能である。
【符号の説明】
【００４０】
１００    撮像装置
１０１    カメラ本体
１２０    レンズ鏡筒
１２１    絞りリング
１２２    フォーカスリング（フォーカシング操作部）
１２２ａ  フォーカスリングラジアル凸部
１２２ｂ  フォーカスリング光軸凸部
１２３    マクロリング（撮影状態切替操作部）
１２３ａ  マクロリングラジアル凸部
１２３ｂ  遠距離端部（第２・第４の規制部）
１２３ｃ  ノーマル近距離端部（第１の規制部）
１２３ｄ  カム溝
１３０    固定枠
１３１    フォーカスリング可動規制溝
１３１ａ  マクロ近距離端部（第３の規制部）
１３２    マクロリング可動規制溝
１３２ａ  ノーマル端部
１３２ｂ  マクロ端部
１３３    直進孔
１４０    直進枠
１４１    突起
１５０    ベース枠
１６０    ３群保持枠
１７０    フォーカスレンズ枠
１７１    ガイド軸
１８０    第１化粧リング
１９０    第２化粧リング
Ｌ１      第１レンズ群（撮像光学系）
Ｌ２      フォーカスレンズ群（撮像光学系）
Ｌ３      第３レンズ群（撮像光学系）
Ｌ４      第４レンズ群（撮像光学系）
Ｘ        光軸
【国際調査報告】
2015045229.tif 000009
2015045229.tif 000010
2015045229.tif 000011
2015045229.tif 000012